(57)【要約】【課題】  販売店にとっては、店内にモニター機器を設置する必要がなくなってそれだけコストダウンを図ることができ、顧客にとっては、自己の知りたい商品情報だけを販売店の店内で携帯電話を利用して即座に知ることができるようにする。【解決手段】  携帯電話３で商品情報を掲載したウェブサイトにアクセスさせてその商品情報を携帯電話３の表示部３１に表示する商品販売促進システムにおいて、ウェブサイトがアップロードされているウェブサーバ２と、商品を陳列した店内で顧客が操作する携帯電話３と、店内に陳列した商品に付設されているＵＲＬを知らせるＵＲＬ表示体４と、を備える。ＵＲＬ表示体４には、一次元バーコードの表示部、二次元バーコードの表示部、ＵＲＬを示す文字情報表示部などがある。【選択図】        図１
0003107391.tif 000002
【実用新案登録請求の範囲】
【請求項１】
携帯電話で商品情報を掲載したインターネット上のウェブサイトにアクセスさせてそのウェブサイトの商品情報を上記携帯電話の表示部に表示する商品販売促進システムにおいて、
上記ウェブサイトがアップロードされている上記インターネット上のウェブサーバと、商品を陳列した店内で顧客が操作する上記携帯電話と、店内に陳列した上記商品に付設されて顧客に上記ウェブサイトにアクセスするためのＵＲＬを知らせるＵＲＬ表示体と、を備えることを特徴とする商品販売促進システム。
【請求項２】
上記ＵＲＬ表示体が、顧客が操作する上記携帯電話によって読取り可能なＵＲＬ情報を持つ一次元バーコード又は二次元バーコードの表示部、又は、ＵＲＬを示す文字情報表示部を備えている請求項１に記載した商品販売促進システム。
【考案の詳細な説明】
【技術分野】
【０００１】
本考案は、インターネットを利用する商品販売促進システムに関する。
【背景技術】
【０００２】
自動車関係部品や同メンテナンス部品といった商品を陳列して販売する販売店と、その販売店を訪れて目的の商品を探したり陳列されている様々な商品の情報を得ようとする顧客との関係において、販売店が、陳列している個々の商品の宣伝広告や使用法といった商品情報を販売店に訪れた顧客に何らかの方法で知らせるという商品販売促進方法を行うと、顧客がその商品情報に基づいて商品をより詳細に知ることができることになるので、顧客にとっては、安心して商品を購入する上で有益である。
【０００３】
そこで、従来は、販売店の店頭や商品の陳列棚にビデオテープレコーダやＤＶＤといった情報再生機器によって再生された商品情報を画像や音声で表示するテレビジョン受像機などのモニター機器を設置し、そのモニター機器によって商品情報を画像や音声を介して販売店を訪れた顧客に知らせるようにしていた。
【考案の開示】
【考案が解決しようとする課題】
【０００４】
しかしながら、店頭や陳列棚にモニター機器を設置すると、モニター機器の設置スペースが余分に必要になったり設置のためのコストがかかるという問題があっただけでなく、ビデオ再生やＤＶＤ再生によっては十分な量の商品情報を顧客に知らせることができない場合も多く、顧客側でも真に知りたい商品情報を即座に得にくいという不便があった。
【０００５】
一方、近時では、その普及が著しい携帯電話を使ってインターネットを介する通信を行うことが普通になってきている。
【０００６】
そこで、本願考案者は、広く普及している携帯電話を使ってインターネットを介する通信を行うことが可能であることに着目し、冒頭で説明したモニター機器により商品情報を顧客に知らせるという旧来の商品販売促進システムに代えて、携帯電話を用いる新しい商品販売促進システムを構築するに至った。すなわち、本考案は、携帯電話を用いる新しい商品販売促進システムを提供することを目的としている。
【課題を解決するための手段】
【０００７】
本考案に係る商品販売促進システムは、携帯電話で商品情報を掲載したインターネット上のウェブサイトにアクセスさせてそのウェブサイトの商品情報を上記携帯電話の表示部に表示する商品販売促進システムにおいて、上記ウェブサイトがアップロードされている上記インターネット上のウェブサーバと、商品を陳列した店内で顧客が操作する上記携帯電話と、店内に陳列した上記商品に付設されて顧客に上記ウェブサイトにアクセスするためのＵＲＬを知らせるＵＲＬ表示体と、を備える、というものである。
【０００８】
この考案では、上記ＵＲＬ表示体が、顧客が操作する上記携帯電話によって読取り可能なＵＲＬ情報を持つ一次元バーコード又は二次元バーコードの表示部、又は、ＵＲＬを示す文字情報表示部を備えていることが望ましい。
【０００９】
この考案によれば、販売店を訪れた顧客が、店内の陳列商品の中から見つけた興味のある商品の情報を詳しく知りたいと思ったときに、自己の所有している携帯電話に、商品のＵＲＬ表示体に表示されているＵＲＬを入力してその商品情報を掲載したウェブサイトに即座にアクセスしてその商品情報をダウンロードすることにより、その携帯電話のモニター画面で知りたい商品情報を視聴することが可能である。そのため、販売店にとっては、モニター機器を設置することなく顧客が知りたい商品情報を顧客に詳しく知らせることができ、顧客にとっては、自己の知りたい商品情報を店内で視聴することができるだけでなく、その後に携帯電話の記憶装置に記憶させた商品情報を呼び出していつでも視聴することができるという利便性が生まれる。
【考案の効果】
【００１０】
この考案によれば、販売店にとっては、店内にモニター機器を設置する必要がなくなってそれだけコストダウンを図ることができるだけでなく、旧来のシステムであるビデオ画像によっては表示することができなかった多くの商品情報を顧客に知らせることができるようになるという利点があり、顧客にとっては、自己の知りたい商品情報だけを販売店の店内で携帯電話を利用して即座に知ることができるという利点がある。
【考案を実施するための最良の形態】
【００１１】
図１は本考案の実施形態に係る商品販売促進システムの説明図である。同図において、１はインターネット、２はインターネット１上のウェブサーバ、３は携帯電話をそれぞれ示しており、ウェブサーバ２には、商品情報を掲載したウェブサイトがアップロードされていて、そのようにアップロードされているウェブサイトに対しては、携帯電話３を使ってアクセスすることが可能であり、アクセスすることによってウェブサイトに掲載されている商品情報を携帯電話３に内蔵されている記憶装置にダウンロードしてその商品情報の画像やテキストといった内容をモニター画面３１で見たり内蔵マイクを通して聞いたりすることができる。また、モニター画面３１に表示された商品情報については、その携帯電話３のメール機能や通話機能を使って即座に販売店側の商品情報担当部所に問い合わせたりすることができる。
【００１２】
携帯電話３を使って上記ウェブサイトにアクセスするときには、販売店Ｓの陳列棚に陳列されている商品の包装などに付設されているＵＲＬ表示体４を利用する。このＵＲＬ表示体４は、顧客が操作する携帯電話３によって読取り可能なＵＲＬ情報を持つ一次元バーコードの表示部、同様の二次元バーコード（所謂ＱＲコード（登録商標））の表示部、又は、ＵＲＬを示す文字情報表示部を備えている。たとえば、一次元バーコードや二次元バーコードを利用してＵＲＬ情報を読み取らせるための手段としては、それらの表示部を、携帯電話３の撮影機能を利用して撮影し、その撮影画像から携帯電話に備わっている解析機能によってＵＲＬを抽出させた後、そのＵＲＬにアクセスさせることが可能である。また、ＵＲＬを示す文字情報表示部を利用するときには、その文字情報表示部を見た顧客が携帯電話３の入力キーを利用して顧客が自ら直接にＵＲＬを入力した後、アクセスさせることが可能である。
【００１３】
ウェブサーバ２にアップロードされているウェブサイトに掲載するコンテンツは、販売店やその商品のメーカなどによって随時新しい内容に更新したり、新しい内容を追加したり、古い内容を削除したりすることが容易であるため、冒頭で説明した従来のビデオテープレコーダなどを用いる商品販売促進システムに比べ、常に最新の商品情報を顧客に知らせることができ、また、顧客は常に最新の商品情報を知ることができるという卓越した利便性を持っている。
【図面の簡単な説明】
【００１４】
【図１】本考案の実施形態に係る商品販売促進システムの説明図である。
【符号の説明】
【００１５】
１  インターネット
２  ウェブサーバ
３  携帯電話
４  ＵＲＬ表示体
３１  携帯電話の表示部
【図１】
0003107391.tif 000003